(57)【特許請求の範囲】
【請求項１】
暗号化された認証用データを出力する外部機器の動作を制御する携帯機器と物理的に且つ電気的に着脱可能な着脱手段と、
一端が前記着脱手段に接続され、他端が前記外部機器に接続される接続手段と、
前記暗号化された認証用データを解読する解読手段と、
前記着脱手段に装着される携帯機器と前記接続手段とを介して前記外部機器から前記暗号化された認証用データを受信すると共に、前記解読手段による前記暗号化された認証用データの解読結果を前記着脱手段に装着される携帯機器及び前記接続手段を介して前記外部機器に送信する送受信手段と
を備えることを特徴とする電子機器。
【請求項２】
前記解読手段への電源供給及び前記解読手段の動作を制御する制御手段を備えることを特徴とする請求項１記載の電子機器。
【請求項３】
暗号化された認証用データを出力する外部機器の動作を制御する携帯機器と物理的に且つ電気的に着脱可能な第１着脱手段と、
一端が前記着脱手段に接続され、他端が前記外部機器に接続される接続手段と、
前記暗号化された認証用データを解読する解読手段と、
前記着脱手段に装着される携帯機器と前記接続手段とを介して前記外部機器から前記暗号化された認証用データを受信すると共に、前記解読手段による解読結果を前記着脱手段に装着される携帯機器及び前記接続手段を介して前記外部機器に送信する第１送受信手段と
を有する電子機器、及び
前記第１装着手段と物理的に且つ電気的に着脱可能な第２着脱手段と、
前記接続手段、前記第１着脱手段及び前記第２着脱手段を介して前記外部機器から前記暗号化された認証用データを受信し、前記第１着脱手段及び前記第２着脱手段を介して当該暗号化された認証用データを前記第１送受信手段に送信すると共に、前記解読結果を前記第１着脱手段及び前記第２着脱手段を介して前記第１送受信手段から受信し、当該解読結果を前記接続手段、前記第１着脱手段及び前記第２着脱手段を介して前記外部機器に送信する第２送受信手段とを有する携帯機器
を有することを特徴とする電子システム。
【請求項４】
前記解読手段は、前記第１着脱手段及び前記第２装着手段と異なり、且つ前記暗号化された認証用データ及び前記解読結果を通信する専用線を介して前記第２送受信手段と直接接続されることを特徴とする請求項３記載の電子システム。
【請求項５】
前記電子機器は、前記解読結果が前記外部機器に予め登録されている暗号化されていない認証用データと一致した後に、前記携帯機器を介して前記外部機器から受信される音楽データを出力する出力手段を備え、
前記携帯機器は、前記解読結果が前記外部機器に予め登録されている暗号化されていない認証用データと一致した後に、前記外部機器から受信される画像データを表示する表示手段を備えることを特徴とする請求項３又は４に記載の電子システム。
【発明の詳細な説明】
【技術分野】
【０００１】
本発明は、携帯機器を着脱可能な電子機器及び電子システムに関する。
【背景技術】
【０００２】
従来のナビゲーション装置として、ＰＮＤ（パーソナルナビゲーションデバイス）と呼ばれる、簡易的ではあるが可搬性を持った小型のポータブルナビゲーション装置（以下、ポータブルナビと呼ぶ）と、車両のダッシュボードに形成された凹部（ＤＩＮ開口）内に収容し固定される車載用のナビゲーション装置とが広く一般的に知られている。車載用のナビゲーション装置は、車両からの車速等の情報により高精度な案内が可能であり、さらにはオーディオ装置を備えたものも提案されている。
【０００３】
近年、ポータブルナビの可搬性と、車載用ナビゲーション装置の高精度な案内性能とを兼ね備えたナビゲーション装置が検討されている。
【０００４】
特許文献１〜４は、車両に搭載された車載機器からナビゲーション部を着脱可能とする構成が開示されている。車載機器からナビゲーション部を取り外すことで、ナビゲーション部をポータブルナビとして単体で使用することが可能となる。
【０００５】
また、特許文献５は、ナビゲーション装置を車両から取り外して、歩行時にもナビゲーション装置を使用することが可能となっている。また、車両搭載時には、カーナビモードとなり、車両から取り外した時にはマンナビモードを実行することが開示されている。
【０００６】
また、車両のダッシュボードに形成された凹部（ＤＩＮ開口）内に固定される本体部と、当該本体部に着脱可能なＰＮＤとで構成される車載用ナビゲーション装置が知られている。
【特許文献１】特開平８−３１８７９２号公報
【特許文献２】特開２００２−３２８０２６号公報
【特許文献３】特表２００５−５２４５７０号公報
【特許文献４】特開２００１−２３９８９５号公報
【特許文献５】特開２００３−１６６８４８号公報
【発明の開示】
【発明が解決しようとする課題】
【０００７】
ところで、近年、外部機器を車載用ナビゲーション装置に接続し、車載用ナビゲーション装置が備える表示部や再生部を使って、外部機器に登録されているデータを再生することが行われている。特に、ｉｐｏｄ（登録商標）のような音楽データ及び動画像データを出力する外部機器が車載用ナビゲーション装置に接続されている。
【０００８】
この外部機器では、予め暗号化された認証用データの解読を含む認証処理が実行されないと、車載用ナビゲーション装置に出力されないデータも存在しているが、このようなデータは、従来、車載用ナビゲーション装置では再生できなかった。
【０００９】
本発明の目的は、上記事情に鑑みてなされたものであり、外部機器から出力される暗号化された認証用データを解読することができる電子機器及び電子システムを提供することにある。
【課題を解決するための手段】
【００１０】
かかる目的を達成するために、本発明の電子機器は、暗号化された認証用データを出力する外部機器の動作を制御する携帯機器と物理的に且つ電気的に着脱可能な着脱手段と、一端が前記着脱手段に接続され、他端が前記外部機器に接続される接続手段と、前記暗号化された認証用データを解読する解読手段と、前記着脱手段に装着される携帯機器と前記接続手段とを介して前記外部機器から前記暗号化された認証用データを受信すると共に、前記解読手段による前記暗号化された認証用データの解読結果を前記着脱手段に装着される携帯機器及び前記接続手段を介して前記外部機器に送信する送受信手段とを備える構成としている。
【００１１】
かかる構成によれば、外部機器から出力される暗号化された認証用データの解読ができる。また、携帯機器は解読手段を備えていないので、携帯機器の軽量化及び小型化を図ることができる。電子機器は、携帯機器と電子機器を互いに接続する既存の通信ラインを利用して暗号化された認証用データ及びその解読結果を外部機器に送受信することができる。
【発明の効果】
【００１２】
本発明によれば、外部機器から出力される暗号化された認証用データを解読することができる。
【発明を実施するための最良の形態】
【００１３】
以下、添付図面を参照しながら本発明の最良の実施の形態を説明する。
【００１４】
（第１の実施の形態）
図１は、本発明の第１の実施の形態に係る電子機器を含む電子システムの外観形状を示す図である。
【００１５】
図１に示すように電子システムとしての車載システム１は、車両に搭載される車載機器１００（電子機器）と、ナビゲーション機能を備えたポータブル機器１０（携帯機器）とから構成される。ポータブル機器１０は、車載機器１００の前面部１２０に取り付けて使用でき、さらに車載機器１００から取り外した状態で単独で使用することができる。
【００１６】
車載機器１００は、ラジオ放送の再生機能や、ＣＤ（Compact Disk）及びＤＶＤ（Digital Versatile Disk）等の記録媒体に書き込まれた音楽データ及び動画像データの再生機能を有している。また、車載機器１００は、記録媒体の再生部や記録媒体の挿排口を有する本体部１１０と、表示部１３１や操作部１３２を有する前面部１２０とを備えている。本体部１１０の背面にはＵＳＢ（Universal Serial Bus）ケーブル１８５（接続手段）が接続されており、ＵＳＢケーブル１８５の一端にはＵＳＢ端子（メス）１８６が接続されている。
【００１７】
ポータブル機器１０は、目的地までの誘導経路を検索し、地図上に検索した誘導経路を重ねて表示するナビゲーションの機能を備えている。ｉｐｏｄ（登録商標）のような音楽データ及び動画像データを出力する外部機器２００には、ＵＳＢ端子（オス）２０２を一端に備えるＵＳＢケーブル２０１が接続可能である。ＵＳＢ端子（オス）２０２は、ＵＳＢ端子（メス）１８６に接続可能であり、外部機器２００は、ＵＳＢケーブル２０１，１８５を介して車載機器１００に接続される。尚、ＵＳＢ端子（メス）１８６は、不図示の車両内部のダッシュボード等に設けられている。
【００１８】
図２は、ポータブル機器１０を取り外した車載機器１００の前面部１２０を示している。車載機器１００の前面部１２０には、ポータブル機器１０を装着するための凹部が形成された着脱部１７０が設けられている。この着脱部１７０には、車載機器１００とポータブル機器１０とを電気的に接続するためのコネクタ１５０と、ポータブル機器１０を前面部１２０に固定するためのロック部１６１及びリブ１６２と、ポータブル機器１０の一端をリブ１６２にガイドするスロープ１６３と、ポータブル機器１０を背面方向から前面方向に押し出す押出部１６４とが設けられている。前面部１２０に設けられた取り外しボタン１６０を操作すると、ロック機構１６１が解除され、前面部１２０からポータブル機器１０が取り外し可能となる。
【００１９】
図３は、前面部１２０を本体部１１０に対して傾斜させ、挿排口１８０を露出させた状態を示す図である。
【００２０】
不図示の駆動機構によって図３に示すスライダー１８１を駆動させることで、前面部１２０を本体部１１０に対してチルトさせることができる。チルト動作によって、本体部１１０に設けられた挿排口１８０を露出させ、記録媒体の挿排を行うことができる。車載機器１００の前面部１２０には、操作ボタン（具体的には、図６に示すチルト／イジェクトボタン１３２ａ）が設けられており、このボタンの操作に応じたチルト角度に設定することができる。
【００２１】
図４は、車載システム１の車両への搭載例を示す図である。
【００２２】
車載システム１は、例えば図４に示すように、運転席５２と助手席５１とのほぼ中央のダッシュボード部分に配置される。なお、図示していないが、後述するＧＰＳ情報受信部１３３のＧＰＳアンテナは、ダッシュボード上に配置されるか、又はフロントガラスの車室側に貼り付けられる。
【００２３】
図５は、車載システム１の概略構成を示すブロック図である。
【００２４】
車載機器１００とポータブル機器１０とは、コネクタで電気的に接続される。車載機器１００側には、コネクタ１５０（着脱手段、第１着脱手段）が設けられており、ポータブル機器１０には、コネクタ３０（第２着脱手段）が設けられている。これらのコネクタ１５０、３０を互いに接続することで、車載機器１００とポータブル機器１０との間で各種信号が送受信され、車載システム１として機能する。また、コネクタ１５０、３０には、車両のバッテリからの電力をポータブル機器１０に供給するための電力供給端子が設けられており、ポータブル機器１０が車載機器１００に接続された状態で、車載機器１００に電力が供給されていると、電力供給端子を介してポータブル機器１０にも電力が供給される。
【００２５】
車載機器１００は、表示部１３１、操作部１３２、ＧＰＳ情報受信部１３３、ラジオ受信部１３４、再生部１３５、音声調整部１３６（出力手段）、メモリ１３７、マイク１３８、外部音声／映像入力部１３９、制御部１４０（送受信手段、第１送受信手段、制御手段、出力手段）、解読部１４１（解読手段）及びコネクタ１５０を備えている。車載機器１００は、エンジンキーがＡｃｃ又はＩＧの位置にあるときに、車両側のバッテリから電力が供給されて動作する。
【００２６】
コネクタ１５０には、ＵＳＢケーブル１８５が接続されており、ＵＳＢケーブル１８５は車載機器１００の外部に引き出されて、ＵＳＢ端子１８６に接続されている。ＵＳＢ端子１８６は、ＵＳＢ端子２０２及びＵＳＢケーブル２０１を介して外部機器２００に接続されている。
【００２７】
表示部１３１は、液晶パネルやバックライトを備え、受信放送周波数、再生楽曲トラックＮｏ、及び再生楽曲名等を表示する。
【００２８】
操作部１３２は、車載機器１００の動作モードを切り替える操作指示や、切り替えた各種モードでの操作指示を入力する。操作部１３２は、図６に示すように、前面部１２０をチルトさせるためのチルト／イジェクトボタン１３２ａ、再生対象のラジオの周波数帯域又は再生対象の記録媒体のトラック番号を切り替えるためのバンド／チューンボタン１３２ｂ、表示部１３１に表示されるタイトル等を切り替えるためのＴＥＸＴボタン１３２ｃ、表示部１１に表示される画像をナビゲーション画像及びＤＶＤの動画像のいずれかに切り替える又は音量を調整するためのＳＣＲＥＥＮボタン１３２ｄ、再生対象のソースの切替又は車載機器１００の電源のオン／オフを行うためのＳＯＵＲＣＥ／ＰＷＲボタン１３２ｅ、音質を制御するためのＣＯＮＴＲＯＬボタン１３２ｆ、及び音声をカットする又は表示部１１の表示を点灯／消灯するためのＭＵＴＥ／ＳＣＲＥＥＮＯＦＦボタン１３２ｇを備えている。
【００２９】
図５に戻って、ＧＰＳ情報受信部１３３は、ＧＰＳアンテナとチューナ部とを有し、衛星からのＧＰＳ信号を受信する。ＧＰＳ情報受信部１３３で受信したＧＰＳ信号は、制御部１４０、コネクタ１５０、コネクタ３０及び制御部２０を介してポータブル機器１０のナビゲーション部１９に出力され、ＧＰＳ信号に基づいてポータブル機器１０が収納された車載機器１００が搭載される車両の位置が割り出される。
【００３０】
ラジオ受信部１３４は、アンテナとチューナ部とを有しており、ＡＭ放送、ＦＭ放送、多重放送等の放送波を受信して、音声データの出力、多重データの受信、復調を行い、復調信号を制御部１４０に出力する。
【００３１】
再生部１３５は、ＣＤやＤＶＤ等の記録媒体に記録された音声データや動画像データを再生し、再生信号を制御部１４０に出力する。
【００３２】
なお、ラジオ受信部１３４から出力される復調信号を制御部１４０を介さずに、後述する音声調整部１３６に出力するようにしてもよい。
【００３３】
音声調整部１３６は、ラジオ受信部１３４で受信されて復調された音声データ、再生部１３５で再生された音声データ、及びポータブル機器１０を介して外部機器２００から入力された音声データに、音量調整や音質調整等の信号処理をしてスピーカ１４５（出力手段）に出力する。
【００３４】
メモリ１３７は、データの読み出しと書き込みとが可能なＲＡＭ（Ｒａｎｄｏｍ  Ａｃｃｅｓｓ  Ｍｅｍｏｒｙ）で構成することができ、制御のために必要な情報を一時的に記憶しておく。マイク１３８は、ハンズフリー通話を行うためのものであって、車室内のユーザの音声を取り込む。
【００３５】
外部音声／映像入力部１３９は、ＵＳＢメモリや、携帯型オーディオ装置等の外部機器との接続端子を備え、外部機器からの音声データを入力して制御部１４０に送り、制御部１４０からの制御信号や音声データ等を接続した外部機器に出力する。
【００３６】
制御部１４０は、操作部１３２の操作に従って、ラジオ受信部１３４、再生部１３５、及び音声調整部部１３６などを制御する。また、制御部１４０は、コネクタ１５０を介してポータブル機器１０に各種信号を出力し、ポータブル機器１０から入力した各種信号に基づいて車載機器１００を制御する。例えば、制御部１４０は、ＧＰＳ情報受信部１３３で受信したＧＰＳ信号や、マイク１３８で入力された音声データを、コネクタ１５０を介してポータブル機器１０に出力する。なお、マイク１３８で入力された音声データを、制御部１４０を介さずに、コネクタ１５０を介してポータブル機器１０に出力してもよい。
【００３７】
さらに、制御部１４０は、ポータブル機器１０を介して外部機器２００から入力された音声データを音声調整部１３６に出力する。
【００３８】
また、制御部１４０は、ポータブル機器１０の表示部１１に表示される、各種モードのメニュー画像に対する操作信号をポータブル機器１０の制御部２０から取得し、ラジオ受信部１３４や再生部１３５の制御を行う。
【００３９】
また、制御部１４０には、車両に搭載されたバッテリからの電源が入力されている。制御部１４０は、ポータブル機器１０が接続されている場合に、バッテリの電源をポータブル機器１０に出力する。また、制御部１４０には、車両から車速パルスとイルミ電源信号が入力される。制御部１４０は、入力した車速パルスをポータブル機器１０の制御部２０に転送する。なお、車載機器１００に車速パルスが入力されない構成であってもよい。
【００４０】
解読部１４１は、暗号化された認証用データを解読するＩＣで構成されている。また、解読部１４１は、ポータブル機器１０を介して外部機器２００から入力された暗号化された認証用データを解読し、その解読結果をポータブル機器１０を介して外部機器２００に出力する。解読部１４１への電源供給や解読部１４１の動作は、制御部１４０により制御される。
【００４１】
次に、ポータブル機器１０について説明する。ポータブル機器１０は、表示部１１（表示手段）、操作部１２、ＧＰＳ情報受信部１３、スピーカ１４、蓄電池１５、充電回路１６、無線通信送受信部１７、メモリ１８、ナビゲーション部１９、制御部２０（第２送受信手段）、及びコネクタ３０を備えている。
【００４２】
表示部１１は、液晶パネルとバックライトとを備え、ナビゲーション部１９で生成された地図情報や目的地までの誘導経路情報、並びに車載機器１００から転送された受信放送周波数、再生楽曲トラックＮｏ、及び再生楽曲名等を表示することができる。また、表示部１１は、車載機器１００を介して外部機器２００から入力された動画像データを表示する。
【００４３】
なお、表示部１１、１３１には、液晶パネル以外のフラットパネルディスプレイ、例えば、有機ＥＬディスプレイパネル、プラズマディスプレイパネル、冷陰極フラットパネルディスプレイ等を用いることができる。
【００４４】
操作部１２は、タッチパネルや、ポータブル機器１０の電源をオン、オフするための電源ボタン５５（図７Ａ参照）を含む。タッチパネルは、例えば、表示部１１の表示画面の上に配置されるものであり、指や専用のペンによりタッチパネルが接触されると、その接触された位置が検知されて、入力操作の有無が判別できるようになっている。電源ボタン５５については後述する。
【００４５】
ＧＰＳ情報受信部１３は、アンテナとチューナ部とを有しており、衛星からのＧＰＳ信号を受信する。受信したＧＰＳ信号はナビゲーション部１９に出力され、ＧＰＳ信号に基づいて自機位置が割り出される。なお、車載装置１００にもＧＰＳ情報受信部１３３が設けられているが、車載機器１００にポータブル機器１０が取り付けられているときには、ＧＰＳ情報受信部１３３で受信したＧＰＳ信号（及び車速パルス）を用いてポータブル機器１０が収納された車載機器１００が搭載される車両の位置を特定し、ポータブル機器１０単独で使用する場合には、ＧＰＳ情報受信部１３で受信したＧＰＳ信号を用いて自機位置を特定する。
【００４６】
スピーカ１４は、ナビゲーション部１９からの音声情報を出力するためのものであり、ポータブル機器１０が車載機器１００から取り外された状態、つまり単体で使用されるときに、音声情報を出力する。
【００４７】
蓄電池１５は、ポータブル機器１０が車載機器１００から取り外された状態では、ポータブル機器１０の各部に電力を供給する。またポータブル機器１０を車載機器１００に装着すると、コネクタ３０の電力供給端子を介して車両のバッテリから電力が供給され、充電回路１６によって蓄電池１５を充電する。また、充電回路１６はＵＳＢスロット５７（図７Ａ参照）を介して接続端末から電力の供給を受けて、蓄電池１５を充電することができる。
【００４８】
無線通信送受信部１７は、携帯電話との間で通話音声の送受信を行ったり、携帯電話を介してナビゲーションに利用する情報を取得する。無線通信送受信部１７には、例えば、２．４ＧＨｚ帯域の無線伝送方式である、Ｂｌｕｅｔｏｏｔｈが用いられる。
【００４９】
メモリ１８は、例えば、読み出しと書き込みとが可能なＲＡＭであり、各制御のために読み出された情報を一時的に記憶しておく。
【００５０】
ナビゲーション部１９は、ナビゲーションのために利用される地図情報を記憶したＳＤ（Ｓｅｃｕｒｅ  Ｄｉｇｉｔａｌ）カードやＵＳＢメモリから取得し、記憶する地図情報記憶部を備え、ＧＰＳ情報受信部１３３、又は１３からのＧＰＳ信号によって現在位置情報を割り出し、ナビゲーションのための地図画像を作成する。作成した地図画像は、表示部１１で表示させることができる。また、車載機器１００とポータブル機器１０とが接続されている場合には、車両から車速パルスを取得して、ポータブル機器１０が収納された車載機器１００が搭載される車両の位置検出の精度を高めることができる。なお、地図情報はポータブル機器１０内に保持していてもよい。
【００５１】
制御部２０は、ポータブル機器１０の各部を制御する。また、制御部２０は、コネクタ３０を介して車載機器１００に各種信号を出力し、車載機器１００から入力した各種信号に基づいてポータブル機器１０を制御する。例えば、制御部２０は、車載機器１００のＧＰＳ情報受信部１３３で受信したＧＰＳ信号、及び車速パルスを車載機器１００の制御部１４０から取得し、ナビゲーション部１９に出力する。
【００５２】
また、制御部２０は、車載機器１００のマイク１３８で入力した音声データを車載機器１００の制御部１４０から取得し、取得した音声データに応じてナビゲーション部１９を制御する。すなわち、ナビゲーション部１９をハンズフリーで操作することができる。また、無線通信送受信部１７にて接続された携帯電話からの通話音声を、コネクタ３０を介して車載機器側に出力し、車載機器１００のスピーカ１４５から出力させる。
【００５３】
また、表示部１１に表示されたメニュー画面やコンテンツ画面に対する操作信号をコネクタ３０を介して車載機器１００の制御部１４０に出力する。制御部１４０は、ポータブル機器１０の制御部２０から送られた操作信号に応じて、ラジオ受信部１３４や再生部１３５を制御する。また、制御部２０は、車載機器１００を介して外部機器２００から入力された動画像データを表示部１１に表示させる。
【００５４】
図７（Ａ）に、ポータブル機器１０の正面図、上面図、底面図、左側面図、及び右側面図を示し、図７（Ｂ）に、ポータブル機器１０の背面図を示す。
【００５５】
ポータブル機器１０の上面には、ポータブル機器の電源をオン、オフさせる電源ボタン５５が設けられており、ポータブル機器１０の底面には、ＳＤメモリカードスロット５６、ＵＳＢスロット５７、及びイヤホンジャック５８が設けられている。また、ポータブル機器１０の左側面には、図２のリブ１６２を収容する凹部５９が設けられており、ポータブル機器１０の背面には、車載機器１００との電気的に接続するためのコネクタ３０が設けられている。さらに、ポータブル機器１０の底面及び背面には、図２の押出部１６４と係合する係合部６０が設けられている。
【００５６】
地図情報が記憶されたＳＤカード又はＵＳＢメモリをそれぞれＳＤメモリカードスロット５６又はＵＳＢスロット５７に差し込むことで、制御部２０は、ＳＤカード又はＵＳＢメモリから地図情報を読み出し、ナビゲーション部１９に地図情報を出力する。
【００５７】
ポータブル機器１０の電源は、ポータブル機器１０を車載機器１００に装着したときには、車載機器１００からの制御によってオン又はオフされる。また、車載機器１００から取り外してポータブル機器１０を単体で使用する場合には、電源ボタン５５のオン又はオフの操作に基づいて電源が操作される。
【００５８】
図８は、車載機器１００、ポータブル機器１０及び外部機器２００で実行される処理を示すフローチャートである。
【００５９】
まず、ポータブル機器１０の制御部２０は、外部機器２００の車載機器１００への接続を検知する（ステップＳ１）。具体的には、制御部２０が外部機器２００から接続信号を受信することで、外部機器２００の車載機器１００への接続を検知する。
【００６０】
次に、外部機器２００が、暗号化された認証用データをＵＳＢケーブル１８５，２０１及びコネクタ３０，１５０を介して制御部２０に送信する（ステップＳ２）。制御部２０は、暗号化された認証用データを外部機器２００から受信し、車載機器１００の制御部１４０に送信する（ステップＳ３）。
【００６１】
制御部１４０は、暗号化された認証用データを制御部２０から受信し、解読部１４１へ送信する（ステップＳ４）。解読部１４１は、暗号化された認証用データを解読し、その解読結果を制御部１４０に送信する（ステップＳ５）。制御部１４０は、解読結果を解読部１４１から受信し、制御部２０に送信する（ステップＳ６）。
【００６２】
制御部２０は、解読結果を制御部１４０から受信し、外部機器２００へ送信する（ステップＳ７）。外部機器２００は、解読結果を制御部２０から受信し、当該解読結果が予め登録されている暗号化されていない認証用データと一致するか否かを判別する（ステップＳ８）。
【００６３】
ステップＳ８でＮＯの場合には、本処理は終了する。ステップＳ８でＹＥＳの場合には、外部機器２００は、再生対象の音声データ又は再生対象の動画像データを制御部２０に送信する（ステップＳ９）。ステップＳ９で再生対象の音声データが制御部２０に送信される場合には、制御部２０は、再生対象の音声データを外部機器２００から受信し、制御部１４０へ送信する（ステップＳ１０）。制御部１４０は、再生対象の音声データを制御部２０から受信し、音声調整部１３６に送信する（ステップＳ１１）。音声調整部１３６は、再生対象の音声データを制御部１４０から受信し、再生対象の音声データに対して音量調整や音質調整等の処理を実行しスピーカ１４５を介して外部に出力する（ステップ１２）。
【００６４】
ステップＳ９で再生対象の動画像データが制御部２０に送信される場合には、制御部２０は、再生対象の動画像データを外部機器２００から受信し、表示部１１に動画像データを表示させる（ステップＳ１３）。
【００６５】
尚、暗号化された認証データや音声データが外部機器２００から制御部１４０に直接送信されない理由は、ポータブル機器１０の制御部２０は、外部機器２００の動作を制御できるが、制御部１４０は、外部機器２００の動作を制御できないからである。
【００６６】
本実施の形態によれば、車載機器１００は、暗号化された認証用データを出力する外部機器２００の動作を制御する携帯機器１０と物理的に且つ電気的に着脱可能なコネクタ１５０と、一端がコネクタ１５０に接続され、他端が外部機器２００に接続されるＵＳＢケーブル１８５と、暗号化された認証用データを解読する解読部１４１と、コネクタ１５０に装着されるポータブル機器１０とＵＳＢケーブル１８５とを介して外部機器２００から暗号化された認証用データを受信すると共に、解読部１４１による暗号化された認証用データの解読結果をコネクタ１５０に装着されるポータブル機器１０及びＵＳＢケーブル１８５を介して外部機器２００に送信する制御部１４０とを備えている。
【００６７】
よって、外部機器２００から出力される暗号化された認証用データの解読ができる。また、ポータブル機器１０は解読部１４１を備えていないので、車載機器１００から取り外されて、単独で使用可能なポータブル機器１０の軽量化及び小型化を図ることができる。車載機器１００は、ポータブル機器１０と車載機器１００を互いに接続する既存の通信ライン（コネクタ３０，１５０を含む）を利用して暗号化された認証用データ及びその解読結果を外部機器２００に送受信することができる。また、車載機器１００は、暗号化された認証用データを解読し、その解読結果を外部機器２００に送信するので、外部機器２００で実行される認証処理を補助することができる。
【００６８】
また、解読部１４１を動作させるかどうかを制御１４０により制御することができる。
【００６９】
さらに、制御部１４０、音量調整部１３６及びスピーカ１４５は、解読結果が外部機器２００に予め登録されている暗号化されていない認証用データと一致した後に、ポータブル機器１０を介して外部機器２００から受信される音楽データを出力し、表示部１１は、解読結果が外部機器２００に予め登録されている暗号化されていない認証用データと一致した後に、外部機器２００から受信される画像データを表示する。よって、外部機器２００により認証用データの認証が成功した後に、車載機器１００は、外部機器２００から受信される音楽データを出力することができ、ポータブル機器１０は、外部機器２００から受信される画像データを表示することができる。
【００７０】
（第２の実施の形態）
第１の実施の形態では、暗号化された認証用データは、コネクタ３０，１５０及び制御部１４０を介して解読部１４１に受信され、又は暗号化された認証用データの解読結果は、コネクタ３０，１５０及び制御部１４０を介して解読部１４１から送信されている。これに対して、本実施の形態では、暗号化された認証用データ及びその解読結果は、専用の通信ラインを介して車載機器１００及びポータブル機器１０の間を通信される。
【００７１】
図９は、第２の実施の形態に係る車載システム１の概略構成を示すブロック図である。
【００７２】
図９では、車載機器１００の解読部１４１に、通信線を介してコネクタ１５１が接続されている。ポータブル機器１０の制御部２０には、通信線を介してコネクタ３１が接続されれている。ポータブル機器１０が車載機器１００に取り付けられると、コネクタ３０とコネクタ１５０が接続され、さらにコネクタ３１とコネクタ１５１が接続される。暗号化された認証用データ及びその解読結果は、解読部１４１と制御部２０とを繋ぐ通信線及びコネクタ３１，１５１を介して通信される。
【００７３】
図９の車載システム１の他の構成は、図５の車載システム１の構成と同様なので、その説明は省略する。
【００７４】
図１０は、車載機器１００、ポータブル機器１０及び外部機器２００で実行される処理を示すフローチャートである。
【００７５】
尚、図１０のフローチャートにおいて、図８と同一の行程には、同一のステップ番号を付し、その説明を省略する。
【００７６】
ステップＳ２で、暗号化された認証用データが制御部２０に送信されると、制御部２０は、暗号化された認証用データを外部機器２００から受信し、コネクタ３１，１５１を介して車載機器１００の解読部１４１に直接送信する（ステップＳ２１）。車載機器１００の解読部１４１は、暗号化された認証用データを解読し、その解読結果をコネクタ３１，１５１を介してポータブル機器１０の制御部２０に送信する（ステップＳ２２）。制御部２０は、解読結果を解読部１４１から受信し、コネクタ３０，１５０及びＵＳＢケーブル１８５を介して外部機器２００へ送信して（ステップＳ２３）、ステップＳ８の行程に進む。
【００７７】
本実施の形態によれば、解読部１４１は、コネクタ３０，１５０と異なり、且つ暗号化された認証用データ及び解読結果を通信する専用線（即ちコネクタ３１，１５１を含む通信ライン）を介して制御部２０と直接接続される。よって、暗号化された認証用データ及びその解読結果が、専用線を介してポータブル機器１０及び車載機器１００の間を通信されるので、暗号化された認証用データ及びその解読結果を高速に通信することができる。
【００７８】
車載機器１００の機能を実現するためのソフトウェアのプログラムが記録されている記録媒体を、車載機器１００に供給し、制御部１４０が記憶媒体に格納されたプログラムを読み出し実行することによっても、上記実施の形態と同様の効果を奏する。プログラムを供給するための記憶媒体としては、例えば、ＣＤ−ＲＯＭ、ＤＶＤ、又はＳＤカードなどがある。
【００７９】
また、車載機器１００の制御部１４０が、それぞれ車載機器１００の機能を実現するためのソフトウェアのプログラムを実行することによっても、上記実施の形態と同様の効果を奏する。
【００８０】
尚、本発明は、上述した実施の形態のような車載機器に限定されるものではなく、その要旨を逸脱しない範囲内でその他の電子機器等に種々変形して実施することが可能である。
【図面の簡単な説明】
【００８１】
【図１】本発明の第１の実施の形態に係る電子機器を含む電子システムの外観形状を示す図である。
【図２】ポータブル機器を取り外した車載機器の前面部を示す図である。
【図３】前面部を本体部に対して傾斜させ、挿排口を露出させた状態を示す図である。
【図４】車載システムの車両への搭載例を示す図である。
【図５】車載システムの概略構成を示すブロック図である。
【図６】車載機器の前面部の構成を示す図である。
【図７】（Ａ）は、ポータブル機器の正面図、上面図、底面図、左側面図、及び右側面図であり、（Ｂ）は、ポータブル機器の背面図である。
【図８】車載機器１００、ポータブル機器１０及び外部機器２００で実行される処理を示すフローチャートである。
【図９】第２の実施の形態に係る車載システムの概略構成を示すブロック図である。
【図１０】車載機器１００、ポータブル機器１０及び外部機器２００で実行される処理を示すフローチャートである。
【符号の説明】
【００８２】
１  車載システム
１０  ポータブル機器
１１，１３１  表示部
１２，１３２  操作部
１３，１３３  ＧＰＳ情報受信部
１４，１４５  スピーカ
１５  蓄電池
１６  充電回路
１７  無線通信送受信部
１８，１３７  メモリ
１９  ナビゲーション部
２０，１４０  制御部
３０，１５０  コネクタ
１１０  本体部
１２０  前面部
１３４  ラジオ受信部
１３５  再生部
１３６  音声調整部
１３９  外部音声／映像入力部
１４１  解読部
１８５，２０１  ＵＳＢケーブル
１８６，２０２  ＵＳＢ端子
２００  外部機器
【図１】
0005166950.tif 000002
【図２】
0005166950.tif 000003
【図３】
0005166950.tif 000004
【図４】
0005166950.tif 000005
【図５】
0005166950.tif 000006
【図６】
0005166950.tif 000007
【図７】
0005166950.tif 000008
【図８】
0005166950.tif 000009
【図９】
0005166950.tif 000010
【図１０】
0005166950.tif 000011